(57)【要約】      （修正有）【課題】  回動可能に連結した複数の施療体からなるマッサージ機において、特に足先を施療する施療体から足先が位置ずれせずに回動する事ができ、回動連結部に通設するエアホースが閉塞しないようにする。【解決手段】  人体脛部を施療する脛部施療体２ａと、脛部施療体の下端に回動可能になるよう回動連結部２４ａにより連結しつつ人体足先部を施療する足先部施療体３ａと、脛部施療体２ａの上端に回動可能になるよう回動連結部６ａにより連結しつつ人体大腿部または尻部を施療する座部施療体４ａとを有するマッサージ機１ａにおいて、前記回動連結部６ａは、屈曲自在の螺旋状部材６１ａで形成すると共に螺旋状部材６１ａ内にエアホース７１ａを挿通して構成する。また脛部施療体２ａに対し足先部施療体３ａが電動である進退機構２６ａにより回動する。更に、進退機構２６ａに代えて空圧で膨縮する膨縮袋を介在させる。【選択図】    図６
2006130104.tif 000002
【特許請求の範囲】
【請求項１】
人体に対して施療を実施する施療機構を設けた施療体を複数備え、該複数の施療体間の少なくともいずれかに施療体同士が相互に回動可能に連結する為の回動連結部を設けると共に、各施療機構の少なくともいずれかに空気を給排気する空気給排装置からエアホースを介して給排気する空気により膨縮する膨縮袋を採用したマッサージ機において、前記回動連結部の少なくともいずれかは、屈曲自在の螺旋状部材で形成すると共に螺旋状部材の内部にエアホースを挿通している事を特徴とするマッサージ機の回動構造。
【請求項２】
人体脛部を施療する施療機構を設けた脛部施療体と、脛部施療体の下端に前後方向に回動可能になるよう回動連結部により連結しつつ人体足先部を施療する施療機構を設けた足先部施療体とから構成するマッサージ機において、該回動連結部における回動が電動であり、操作部により回動を操作する事を特徴とするマッサージ機の回動構造。
【請求項３】
前記足先部施療体の前記回動連結部における回動が空気給排装置から給排気する空気により膨縮する膨縮袋によるものであり、操作部により回動を操作する事を特徴とする請求項２記載のマッサージ機の回動構造。
【請求項４】
前記脛部施療体と前記足先部施療体とを連結している回動連結部は、回動する方向とは逆の方向に反力がかかるようにしている事を特徴とする請求項２及び請求項３記載のマッサージ機の回動構造。
【発明の詳細な説明】
【技術分野】
【０００１】
本発明は、人体に対して施療を実施する複数の施療体を備えると共に、複数の施療体が相互に回動変形する事が可能なマッサージ機の回動構造に関するものである。
【背景技術】
【０００２】
従来、人体を施療するマッサージ機の回動構造として、例えば図１１に示すようなものが知られている。すなわち、座部１０の前方に設けられ、人体脛部を空気給排装置４から給排気される空気により施療する施療凹部を備えた脛部施療体２と、該脛部施療体２の先端に前後方向に回動連結部２１において回動自在に連結され、人体足先を空気給排装置４から給排気される空気により施療する施療凹部を備えた足先部施療体３とで構成するマッサージ機であるが、脛部施療体２の前後方向における角度変化に伴って、足先部施療体３は自重によって脛部施療体２に対し回動するようにしている。（特許文献１）
また、空気給排装置から給排気される空気を内部で通すエアホースが、回動連結部付近を通設する場合における回動連結部での回動によるエアホースの閉塞を防止する構造としては、図１２に示すようなものがあるが、膨縮袋２０乃至２３に空気を供給する複数のエアホース４０乃至４３を回動連結部１１において一体として螺旋状により合わせるようにしている。そうする事で、該回動連結部１１における回動の際に加わる曲げ力が局部的に集中しないようにして閉塞するのを防止している。（特許文献２）
【特許文献１】特開２００２−２３８９６３号公報（第６頁、図５）
【特許文献２】特開２００１−０７９０５１号公報（第７頁、図３）
【発明の開示】
【発明が解決しようとする課題】
【０００３】
ところで、上記特許文献１のような従来のマッサージ機の回動構造は、脛部施療体の姿勢によって、脛部施療体に対する足先部施療体の前後方向における角度が定まるものだが、使用者が任意に足先の角度を変えたい場合に足先を動かす場合には、足先部施療体から位置ずれしてしまい、足先に対する施療効果を減じる等の問題が生じると考えられる。
【０００４】
また、上記特許文献２については、より合わせたエアホースの数が少ない程、屈折や圧迫等によって閉塞し易くなり、特にエアホースが単一の場合については、他の構造を採用する必要があると考えられる。
【０００５】
そこで、本発明は、上記問題点を解消する為に成されたものであり、使用者が回動連結部の回動によって施療部位の角度を施療体から位置ずれしたりすることなく任意に変化させる事が可能であると共に、該回動連結部に通設するエアホースが閉塞しないようにする事ができるマッサージ機の回動構造を提供する事を目的とするものである。
【課題を解決するための手段】
【０００６】
すなわち、本発明のマッサージ機の回動構造は、人体に対して施療を実施する施療機構を設けた施療体を複数備え、該複数の施療体間の少なくともいずれかに施療体同士が相互に回動可能に連結する為の回動連結部を設けると共に、各施療機構の少なくともいずれかに空気を給排気する空気給排装置からエアホースを介して給排気する空気により膨縮する膨縮袋を採用したマッサージ機において、前記回動連結部の少なくともいずれかは、屈曲自在の螺旋状部材で形成すると共に螺旋状部材の内部にエアホースを挿通して構成している。
【０００７】
また、本発明のマッサージ機の回動構造は、人体脛部を施療する施療機構を設けた脛部施療体と、脛部施療体の下端に前後方向に回動可能になるよう回動連結部により連結しつつ人体足先部を施療する施療機構を設けた足先部施療体とから構成するマッサージ機において、該回動連結部における回動が電動であり、操作部により回動を操作するように構成している。
【０００８】
また、本発明のマッサージ機の回動構造は、前記足先部施療体の前記回動連結部における回動が空気給排装置から給排気する空気により膨縮する膨縮袋によるものであり、操作部により回動を操作するように構成している。
【０００９】
更に、本発明のマッサージ機の回動構造は、前記脛部施療体と前記足先部施療体とを連結している回動連結部において、回動する方向とは逆の方向に反力がかかるようになるよう構成している。
【発明の効果】
【００１０】
よって本発明のマッサージ機の回動構造は、各施療体間に設けた回動連結部が螺旋状部材で形成すると共にその内部にエアホースを挿通して構成している為、回動連結部による回動の際に、螺旋状部材は屈折する事なく湾曲形状となるので、その内部空間を極端に変形する事はなく、挿通されたエアホースの屈折或いは圧迫等から生じる閉塞を防止する事ができる。
【００１１】
また、本発明のマッサージ機の回動構造は、脛部施療体と、脛部施療体の下端に前後方向に回動可能になるよう回動連結部により連結した足先部施療体とから構成するマッサージ機において、回動連結部における回動が電動であり、操作部により回動を操作するよう構成している為、使用者が足先の角度を変えたい場合には、足先を動かす事によってではなく、操作部を操作するだけで足先部施療体を回動させる事が可能であるので、いつも足先が足先部施療体から位置ずれしたりしないようにする事ができる。
【００１２】
また、本発明のマッサージ機の回動構造は、前記回動連結部における回動が、空気給排装置から給排気する空気により膨縮する膨縮袋によるものであり、操作部により回動を操作するよう構成している為、前記施療機構で空気給排装置により膨縮する膨縮袋を採用するのであれば、駆動源の一元化を図る事ができてコンパクトになる。
【００１３】
更に、本発明のマッサージ機の回動構造は、前記脛部施療体と前記足先部施療体とを連結している回動連結部において、回動する方向とは逆の方向に反力がかかるようになるよう構成している為、例えば使用者が足先を動かす際に加わる力を吸収する事ができて、他の機構に対して無理な力が加わる事から生じる損傷を防ぐ事が可能であり、また、足先を動かして脛部施療体に対する足先部施療体の角度が変化したとしても常に元位置に戻るので、いつも足先が足先部施療体から位置ずれしたりしないようにする事ができる。
【発明を実施するための最良の形態】
【００１４】
以下に、本発明のマッサージ機の回動構造を、図面に示す一実施形態に基づきこれを詳細に説明する。
【００１５】
図１及び図２は本発明のマッサージ機の回動構造におけるマッサージ機の一実施形態を示す斜視図であり、図３は本発明のマッサージ機の回動構造におけるマッサージ機の一実施形態を示す使用状態図であり、図４及び図５は本発明のマッサージ機の回動構造における回動連結部の一実施形態を示す断面説明図であり、図６乃至図８は本発明のマッサージ機の回動構造における回動が電動である一実施形態を示す説明図であり、図９及び図１０は本発明のマッサージ機の回動構造における回動が膨縮袋によるものである一実施形態を示す説明図であり、図１１及び図１２は従来技術を示す図面である。
【００１６】
すなわち、本発明のマッサージ機の回動構造におけるマッサージ機１ａは、図１の実施形態で示したように、人体脛部を挿入して施療する施療機構である左右一対の施療凹部２１ａを備えた脛部施療体２ａを設け、さらに該脛部施療体２ａの下端に人体足先部を挿入して施療する施療機構である左右一対の施療孔部３１ａを備えた足先部施療体３ａを設けたものであり、更に脛部施療体２ａの上端において、人体大腿部または尻部を施療する施療機構の座部膨縮袋４１ａを備えた座部施療体４ａを設けて構成している。
【００１７】
前記脛部施療体２ａの下端と足先部施療体３ａの後端とは、回動連結部６ａにより前後方向に回動自在になるよう連結すると共に、前記脛部施療体２ａの上端と、前記座部施療体４ａの前端とは、左右一対の回動連結部６ａにより前後方向に回動自在になるよう連結している。
【００１８】
前記座部施療体４ａの前記座部膨縮袋４１ａは、エアホース（図示せず）を介して前記脛部施療体２ａの前記左右一対の施療凹部２１ａ間に存する空間に配設する空気給排装置７ａによる圧縮空気の給排気によって膨縮及び膨張保持するものであるので、座部施療体４ａに当接する人体尻部或いは大腿部に対して、下から押し上げる押圧施療を実施する事ができる。
【００１９】
前記脛部施療体２ａの前記左右一対の施療凹部２１ａには、夫々においてエアホース（図示せず）を介して前記空気給排装置７ａによる圧縮空気の給排気によって膨縮及び膨張保持する上脛部膨縮袋２２ａ及び下脛部膨縮袋２３ａを左右一対として配設している。
【００２０】
前記足先部施療体３ａの前記左右一対の施療孔部３１ａには、夫々においてエアホース（図示せず）を介して前記空気給排装置７ａによって膨縮及び膨張保持する足先部膨縮袋３２ａを左右一対として配設している。
【００２１】
尚、上記示した施療機構は、膨縮袋の他にも例えば、揉み、叩き、指圧、ローリング、振動等の施療効果をもたらすものも併用する事ができる。
【００２２】
前記空気給排装置７ａによる給排気は、前記足先部施療体３ａ内部に配設する制御部５ａにより制御するようにしており、該制御部５ａは前記脛部施療体２ａの片側側面において脱着自在に設けた操作部５１ａから入力される指示を受けて制御する。
【００２３】
図４及び図５は、前記脛部施療体２ａと前記座部施療体４ａ間の回動連結部６ａを示したものであり、該回動連結部６ａは、伸縮自在で且つ屈曲自在なコイル状部材６１ａを採用している。
【００２４】
前記コイル状部材６１ａは、例えば鉄材等の比較的反力の弱い材質のものを採用する事が望ましく、該コイル状部材６１ａの外周に、伸縮自在且つ屈曲自在の軟質樹脂等から形成する外装部材６２ａを被覆したものとしている。
【００２５】
また、前記回動連結部６ａの前記コイル状部材６１ａ内部に、前記空気給排装置７ａから各膨縮袋へ給排気する空気を通すための中空状軟質ホースであるエアホース７１ａを挿入した構成となっているので、図５に示すような回動連結部６ａが回動屈曲する場合でも、螺旋状部材６１ａはスムーズに湾曲して内部空間を極端に変形する事はないので、エアホース７１ａが折曲して内部空気の供給不通になるのを防止する事ができる。
【００２６】
前記構造の回動連結部６ａを採用する事により、図３に示すように例えば足マッサージ機１ａを椅子Ｃ上に設置して使用する際に、前記脛部施療体２ａ及び足先部施療体３ａを使用者の所望する前後位置に合せて自在に位置調整する事ができる。
【００２７】
また、図２に示すように前記マッサージ機１ａを床面等の平坦な所に沿うよう変形する事により、使用者は仰臥姿勢または上半身だけ起こした姿勢において施療を受ける事が可能となる。
【００２８】
図６乃至図８は、前記脛部施療体２ａに対する前記足先部施療体３ａの起倒を電動で行なわせるようにした場合の一実施形態を示したものであり、脛部施療体２ａの左右一対の前記施療凹部２１ａ間にある空間２５ａ中央に、脛部施療体２ａ側を基部として至部側の足先部施療体３ａ押引させる電動アクチュエータ等からなる進退機構２６ａを配設したものを例示している。
【００２９】
前記進退機構２６ａは、電動アクチュエータ等で至端側が移動自在な進退棒２６１ａを備えており、この基部を脛部施療体２ａに固定し、その進退棒２６１ａの至端部を回動連結部２４ａの回動棒２４１ａに連結して、進退棒２６１ａの自動進退により回動棒２４１ａを介して回動連結部２４ａを有する足先部施療体３ａを起倒させるようにしている。
【００３０】
尚、前記進退機構２６ａの動作は、前記制御部８ａにより制御されるように構成する事で、脛部施療体２ａに対する足先部施療体３ａの起倒を自動制御する事ができる。
【００３１】
よって、脛部施療体２ａに対する前記足先部施療体３ａの起倒を電動で行なうようにした場合には、図７に示すように、進退機構２６ａが稼働して前記進退棒２６１ａを足先部施療体３ａ側に押し出せば、該進退棒２６１ａと回動可能に連結している前記回動棒２４１ａの至端部を押し出す事になり、該回動棒２４１ａに連動して、回動板３９ａを有する足先部施療体３ａは脛部施療体２ａと相反方向へ回動し、足先部施療体３ａと脛部施療体２ａとの間の傾倒角度を変化させ、足先部施療体３ａを倒伏させる事ができるのである。
【００３２】
前記進退機構２６ａの進退棒２６１ａの略々中央付近には、伸縮可能なバネ材２６２ａを介設してもよく、これにより、進退棒２６１ａは長さ方向及び幅方向に一定の範囲で伸縮したり、屈曲したりする事ができるようにしている。
【００３３】
すなわち、前記進退棒２６１ａに介設されたバネ材２６２ａは、図８に示したように、前記脛部施療体２ａ或いは前記足先部施療体３ａ間で意図せずに生じる外力を吸収して、進退機構２６ａ等の損傷を防ぐために長さ方向及び幅方向に一定の範囲で伸縮したり、屈曲したりする事ができるようにしているのである。
【００３４】
尚、このバネ材２６２ａの介設により、進退棒２６１ａに加わる上記したような外力の吸収のみならず、使用者が故意に足先を動かした場合に生じる力をも吸収し、回動連結部２４ａを軸とした脛部施療体２ａに対する足先部施療体３ａの起倒を可及的に故障なく行わせる事ができるものとなる。
【００３５】
図９及び図１０は、前記脛部施療体２ａに対する前記足先部施療体３ａの起倒を電動で行なわせるようにした場合の他の実施形態を示すものであり、前述した進退機構２６ａに代えて、前記空気給排装置７ａから給排気されて膨縮する回動用膨縮袋２７ａを採用した場合を例示している。
【００３６】
すなわち、前記脛部施療体２ａ内の足先部施療体３ａ側前方上部に固定板２８ａを配置し、側面視Ｌ型の回動板３９ａの基端面を前記足先部施療体３ａ内の傾倒側底部に固定すると共に回動板３９ａの至端面を脛部施療体２ａ内の足先部施療体３ａ側前方下部に挿入させており、回動板３９ａの中間屈折部付近を回動連結部２４ａに連結させ、且つ、固定板２８ａと回動板３９ａの至端面間に回動用膨縮袋２７ａを介設し、回動用膨縮袋２７ａの膨縮により脛部施療体２ａに対する足先部施療体３ａの起倒を電動で行なわせるようにしているのである。
【００３７】
よって、前記制御部８ａで制御された空気給排装置７ａからの給排気により前記回動用膨縮袋２７ａが膨縮する事で、前記回動板３９ａの至端面が回動連結部２４ａを軸として上下に回動し、回動板３９ａの至端面は固定板２８ａに対して接離移動する事になり、脛部施療体２ａに対して足先部施療体３ａが起倒するのである。
【００３８】
尚、回動用膨縮袋２７ａを採用した場合には、前記脛部施療体２ａ或いは前記足先部施療体３ａ間で意図せずに生じる進退棒２６１ａへの外力の吸収のみならず、使用者が故意に足先を動かした場合に生じる力をも吸収し、回動連結部２４ａを軸とした脛部施療体２ａに対する足先部施療体３ａの起倒を可及的に故障なく行わせる事ができるものとなる。
【図面の簡単な説明】
【００３９】
【図１】本発明のマッサージ機の回動構造におけるマッサージ機の一実施形態を示す斜視図である。
【図２】本発明のマッサージ機の回動構造におけるマッサージ機の一実施形態を示す斜視図である。
【図３】本発明のマッサージ機の回動構造におけるマッサージ機の一実施形態を示す使用状態図である。
【図４】本発明のマッサージ機の回動構造における回動連結部の一実施形態を示す断面説明図である。
【図５】本発明のマッサージ機の回動構造における回動連結部の一実施形態を示す断面説明図である。
【図６】本発明のマッサージ機の回動構造における回動が電動である一実施形態を示す説明図である。
【図７】本発明のマッサージ機の回動構造における回動が電動である一実施形態を示す説明図である。
【図８】本発明のマッサージ機の回動構造における回動が電動である一実施形態を示す説明図である。
【図９】本発明のマッサージ機の回動構造における回動が膨縮袋によるものである一実施形態を示す説明図である。
【図１０】本発明のマッサージ機の回動構造における回動が膨縮袋によるものである一実施形態を示す説明図である。
【図１１】従来技術を示す図面である。
【図１２】従来技術を示す図面である。
【符号の説明】
【００４０】
１ａ  マッサージ機
２ａ  脛部施療体
２１ａ  施療凹部
２２ａ  上脛部膨縮袋
２３ａ  下脛部膨縮袋
２４ａ  回動連結部
２４１ａ  回動棒
２５ａ  空間
２６ａ  進退機構
２６１ａ  進退棒
２６２ａ  バネ材
２７ａ  回動用膨縮袋
２８ａ  固定板
３ａ  足先部施療体
３１ａ  施療孔部
３２ａ  足先部膨縮袋
３３ａ  回動板
４ａ  座部施療体
４１ａ  座部膨縮袋
５ａ  制御部
５１ａ  操作部
６ａ  回動連結部
６１ａ  螺旋状部材
６２ａ  外装部材
７ａ  空気給排装置
７１ａ  エアホース
Ｃ  椅子
【図１】
2006130104.tif 000003
【図２】
2006130104.tif 000004
【図３】
2006130104.tif 000005
【図４】
2006130104.tif 000006
【図５】
2006130104.tif 000007
【図６】
2006130104.tif 000008
【図７】
2006130104.tif 000009
【図８】
2006130104.tif 000010
【図９】
2006130104.tif 000011
【図１０】
2006130104.tif 000012
【図１１】
2006130104.tif 000013
【図１２】
2006130104.tif 000014